(57)【特許請求の範囲】
【請求項１】
衣類を収容したドラムを回転させて前記衣類を乾燥させる衣類乾燥機であって、
前記ドラムの内部に向かって１００ＧＨｚ以上１２０ＴＨｚ以下の周波数の電磁波を照射する電磁波発生部と、
前記電磁波発生部が照射して前記ドラムの内部を通過した前記電磁波を検出する電磁波検出部と、
前記電磁波を検出した前記電磁波検出部が出力する信号に基づいて前記衣類の水分量を演算して乾燥状態を識別する演算部と、
前記ドラムから排出された水蒸気量を測定する水蒸気測定部と、
を備え、
前記演算部は前記水蒸気測定部が測定した前記水蒸気量を前記演算に用いることを特徴とする衣類乾燥機。
【請求項２】
前記電磁波の周波数が２．５ＴＨｚ以下であることを特徴とする請求項１に記載の衣類乾燥機。
【請求項３】
前記電磁波発生部及び／または前記電磁波検出部は前記ドラムの外部に配置され、
前記ドラムは前記電磁波が透過する電磁波透過部を備えることを特徴とする請求項１または請求項２に記載の衣類乾燥機。
【請求項４】
前記ドラムは前記電磁波を反射して前記電磁波検出部に導くための反射部を備えることを特徴とする請求項１〜請求項３のいずれか１項に記載の衣類乾燥機。
【請求項５】
前記ドラムは前記反射部を一体として有することを特徴とする請求項４に記載の衣類乾燥機。
【請求項６】
前記電磁波発生部と前記電磁波検出部とが一体として構成されていることを特徴とする請求項１〜請求項５のいずれか１項に記載の衣類乾燥機。
【請求項７】
前記電磁波発生部及び前記電磁波検出部を複数箇所に備えるとともに、前記ドラムの内部に対して複数の前記電磁波を照射することを特徴とする請求項１〜請求項６のいずれか１項に記載の衣類乾燥機。
【請求項８】
前記ドラムの内部に対して前記電磁波を走査するための走査部を備えることを特徴とする請求項１〜請求項７のいずれか１項に記載の衣類乾燥機。
【請求項９】
前記ドラムの回転周期を検知する回転周期検知部を備え、
前記演算部は前記回転周期検知部が検知した前記ドラムの回転周期を前記演算に用いることを特徴とする請求項１〜請求項８のいずれか１項に記載の衣類乾燥機。
【請求項１０】
前記ドラムの内部の前記衣類の位置を検知する衣類位置検知部を備え、
前記演算部は前記衣類位置検知部が検知した前記衣類の位置を前記演算に用いることを特徴とする請求項１〜請求項９のいずれか１項に記載の衣類乾燥機。
【発明の詳細な説明】
【技術分野】
【０００１】
本発明は、衣類を収容したドラムを回転させて衣類を乾燥させる衣類乾燥機に関する。
【背景技術】
【０００２】
従来の衣類乾燥機が特許文献１に開示されている。この従来の衣類乾燥機は回転するドラムと、ファンと、ヒータとを備えている。この衣類乾燥機はファンにより発生させた空気流をヒータに通して加熱し、衣類乾燥機の前面側からドラム内の衣類に向かって吹き付けている。加熱された空気流は衣類に吹き付けられることによって衣類から吸湿して高温多湿となり、ドラム後方のファンの箇所に到達する。高温多湿な空気はファンが衣類乾燥機の後方から吸い込んだ別の空気流により冷却、除湿（凝縮）され、再びヒータの箇所へと送り込まれる。衣類から取り除いた除湿水は衣類乾燥機の下方に排水される。
【０００３】
このような衣類乾燥機において、従来省エネルギーの観点から不要な運転を実行しないようにするために衣類の乾燥度合いの検出が実施されている。衣類の乾燥度合いの検出方法としては、例えば温度センサーを使用して排気の温度変化を測定する方法や、湿度センサーを使用して排気の湿度変化を測定する方法が知られている。
【０００４】
特許文献１に記載の従来の衣類乾燥機は湿度センサーを使用した方法を採用している。この衣類乾燥機の湿度センサーは多湿且つ比較的高温で凝縮される前の空気流に晒されるように、ドラムの後方であってファンの前方の箇所に設けられている。そして、この衣類乾燥機は衣類の水分量に対応した水蒸気量を測定することにより衣類の乾燥度合いを検出している。
【０００５】
また、衣類の乾燥度合いを検出するための他の方法を採用した従来の衣類乾燥機が特許文献２に開示されている。この従来の衣類乾燥機は個々の衣類に２種類の無線ＩＣタグを貼付するとともに、それら無線ＩＣタグとの間で通信を実行するようにしている。この衣類乾燥機は衣類に貼付された一方の無線ＩＣタグと水への吸収率が低い周波数帯域で通信して衣類を特定し、他方の無線ＩＣタグと水への吸収率が高い周波数帯域で通信して衣類の乾燥度合いを検出している。
【先行技術文献】
【特許文献】
【０００６】
【特許文献１】特開平８−２５２３９５号公報
【特許文献２】特開２００６−３３３９００号公報
【発明の概要】
【発明が解決しようとする課題】
【０００７】
しかしながら、特許文献１に記載の従来の衣類乾燥機はドラムに収容された衣類全体としての水蒸気量を検出しているので、例えば水分が偏在している場合にこれを検出することができないという問題があった。
【０００８】
また、特許文献２に記載の従来の衣類乾燥機は個々の衣類の乾燥度合いを検出可能であるが、個々の衣類に無線ＩＣタグを貼付しなければならない。これにより、この従来技術は非常に手間が掛かるという問題があった。そして、この従来技術を、例えば家庭用の衣類乾燥機に適用することは極めて困難であると考えられる。
【０００９】
本発明は、上記の点に鑑みなされたものであり、手間が掛からない簡便な構成で衣類全体としての乾燥度合いや水分の偏在を識別することができ、好適に衣類の乾燥状態を把握することが可能な衣類乾燥機を提供することを目的とする。
【課題を解決するための手段】
【００１０】
上記の課題を解決するため、本発明の衣類乾燥機は、衣類を収容したドラムを回転させて前記衣類を乾燥させる衣類乾燥機であって、前記ドラムの内部に向かって１００ＧＨｚ以上１２０ＴＨｚ以下の周波数の電磁波を照射する電磁波発生部と、前記電磁波発生部が照射して前記ドラムの内部を通過した前記電磁波を検出する電磁波検出部と、前記電磁波を検出した前記電磁波検出部が出力する信号に基づいて前記衣類の水分量を演算して乾燥状態を識別する演算部と、を備えることを特徴としている。
【００１１】
上記周波数帯域の電磁波は水分子に非常に吸収され易いという性質を有しているので、衣類中の水分量がわずかであっても電磁波の強度が大きく変化する。したがって、この構成によれば、衣類を通過して強度が変化した電磁波を検出することで、衣類に含まれる水分量が分かる。
【００１２】
ここで、「１００ＧＨｚ以上１２０ＴＨｚ以下の周波数の電磁波」は人体に対して安全で、且つ水の吸収係数が１０2ｃｍ-1以上の電磁波である。吸収係数が１０2ｃｍ-1であるということは、電磁波は水中を０．１ｍｍ（＝１／１０2ｃｍ）進む間にその強度が１０分の１になる。電磁波は衣類の水分中を０．１ｍｍ進む間にその強度が１０分の１に減少するので、検出中にノイズが発生しても十分に検出可能である。一方、１００ＧＨｚ未満の周波数の電磁波は徐々に水の吸収係数が１０2ｃｍ-1より減少して検出精度が低下する虞がある。また、１２０ＴＨｚから１．６ＰＨｚ（波長２．５μｍから０．１２５μｍ）の周波数の電磁波は吸収係数が１０2ｃｍ-1より小さい。そして、電磁波は１．６ＰＨｚを超えると吸収係数が１０2ｃｍ-1より大きくなるが、人体への影響が大きくなる虞がある。
【００１３】
また、上記構成の衣類乾燥機において、前記電磁波の周波数が２．５ＴＨｚ以下であることを特徴としている。
【００１４】
一般的に衣類乾燥機の内部が高温になったときに発生する熱輻射は波長が長くなるにつれて多くなり、特定の波長でピークとなり、ピーク時より波長が長くなると単調に減少する。熱輻射の分布は温度により変化し、例えば室温程度におけるピーク時の波長が約１０μｍであり、８０度におけるピーク時の波長が約８μｍである。熱輻射が多い波長（周波数）の電磁波を用いて衣類の水分量を検出しようとすると、電磁波の検出時に熱輻射がノイズとして現れる虞がある。しかしながら、室温程度の場合、２．５ＴＨｚ以下（波長１２０μｍ以上）では熱輻射量がピーク時の千分の一程度以下になる。温度が上昇するにつれて熱輻射量がピーク時の千分の一程度以下になる周波数は低く（波長は長く）なる。したがって、この構成によれば、２．５ＴＨｚ以下（波長１２０μｍ以上）の周波数の電磁波を用いているので、乾燥時の熱輻射量がピーク時の千分の一程度よりも小さくなり、熱輻射の影響が十分少なくなる。
【００１５】
また、上記構成の衣類乾燥機において、前記電磁波発生部及び／または前記電磁波検出部は前記ドラムの外部に配置され、前記ドラムは前記電磁波が透過する電磁波透過部を備えることを特徴としている。
【００１６】
この構成によれば、電磁波発生部及び電磁波検出部のいずれか、或いは両方がドラムの外部に配置されるので、衣類がそれらに衝突することが抑制される。したがって、ドラムの内部における衣類の動きを妨げることなく、自然な状態で撹拌される衣類を通過する電磁波が検出される。
【００１７】
また、上記構成の衣類乾燥機において、前記ドラムは前記電磁波を反射して前記電磁波検出部に導くための反射部を備えることを特徴としている。
【００１８】
この構成によれば、電磁波発生部と電磁波検出部とを対向させて配置する必要がない。したがって、衣類乾燥機には電磁波発生部と電磁波検出部との様々な配置構成が適用され得る。
【００１９】
また、上記構成の衣類乾燥機において、前記ドラムは前記反射部を一体として有することを特徴としている。
【００２０】
この構成によれば、ドラムの耐久性が向上する。
【００２１】
また、上記構成の衣類乾燥機において、前記電磁波発生部と前記電磁波検出部とが一体として構成されていることを特徴としている。
【００２２】
この構成によれば、電磁波発生部及び電磁波検出部の配置領域が省スペース化される。したがって、衣類乾燥機の大型化が妨げられる。
【００２３】
また、上記構成の衣類乾燥機において、前記電磁波発生部及び前記電磁波検出部を複数箇所に備えるとともに、前記ドラムの内部に対して複数の前記電磁波を照射することを特徴としている。
【００２４】
この構成によれば、衣類乾燥機は複数の箇所における衣類の水分量が分かる。これにより、衣類の水分量の正確さが高まる。
【００２５】
また、上記構成の衣類乾燥機において、前記ドラムの内部に対して前記電磁波を走査するための走査部を備えることを特徴としている。
【００２６】
この構成によれば、走査範囲における衣類中の水分量の分布が識別される。これにより、衣類乾燥機は衣類中の水分量の分布に係る情報を用いた好適な乾燥運転を実行する。
【００２７】
また、上記構成の衣類乾燥機において、前記ドラムの回転周期を検知する回転周期検知部を備え、前記演算部は前記回転周期検知部が検知した前記ドラムの回転周期を前記演算に用いることを特徴としている。
【００２８】
この構成によれば、衣類を通過した電磁波の検出信号に対してドラムの回転に係る情報が加味される。これにより、衣類の水分量が一層正確に分かる。
【００２９】
また、上記構成の衣類乾燥機において、前記ドラムの内部の前記衣類の位置を検知する衣類位置検知部を備え、前記演算部は前記衣類位置検知部が検知した前記衣類の位置を前記演算に用いることを特徴としている。
【００３０】
この構成によれば、例えば水分量が比較的多い衣類が特定され、追跡される。すなわち、乾燥に多くの時間を要する衣類を見逃すことが妨げられ、より効果的な乾燥運転が実行される。
【００３１】
また、上記構成の衣類乾燥機において、前記ドラムから排出された水蒸気量を測定する水蒸気測定部を備え、前記演算部は前記水蒸気測定部が測定した前記水蒸気量を前記演算に用いることを特徴としている。
【００３２】
この構成によれば、衣類を通過した電磁波の検出信号に対してドラムの内部の水蒸気量を用いた補正が加味される。これにより、衣類の水分量が一層正確に分かる。
【発明の効果】
【００３３】
本発明の構成によれば、衣類を通過した電磁波の強度を検出することで、衣類に含まれる水分量が分かる。したがって、本発明の衣類乾燥機は手間が掛からない簡便な構成で衣類全体としての乾燥度合いや水分の偏在を識別することができる。このようにして、好適に衣類の乾燥状態を把握することが可能な衣類乾燥機を提供することができる。
【図面の簡単な説明】
【００３４】
【図１】本発明の第１の実施形態に係る衣類乾燥機の概略垂直断面図である。
【図２】図１の衣類乾燥機の構成を示すブロック図である。
【図３】図１の衣類乾燥機の電磁波検出部で検出される信号を示すグラフである。
【図４】本発明の第２の実施形態に係る衣類乾燥機の概略垂直断面図である。
【図５】本発明の第３の実施形態に係る衣類乾燥機の概略垂直断面図である。
【図６】本発明の第４の実施形態に係る衣類乾燥機の概略垂直断面図である。
【図７】本発明の第５の実施形態に係る衣類乾燥機の概略垂直断面図である。
【図８】図７の衣類乾燥機のドラム内部を示す概略正面図である。
【図９】本発明の第６の実施形態に係る衣類乾燥機の概略垂直断面図である。
【図１０】図９の衣類乾燥機のドラム内部を示す概略正面図である。
【図１１】図９の衣類乾燥機の構成を示すブロック図である。
【図１２】本発明の第７の実施形態に係る衣類乾燥機の概略垂直断面図である。
【発明を実施するための形態】
【００３５】
以下、本発明の実施形態に係る衣類乾燥機を図１〜図１２に基づき説明する。
【００３６】
最初に、本発明の第１の実施形態に係る衣類乾燥機について、図１及び図２を用いてその概略構造と衣類の乾燥動作とを説明する。図１は衣類乾燥機の概略垂直断面図、図２は衣類乾燥機の構成を示すブロック図である。なお、図１における左方が衣類乾燥機の前面側（前方）であり、右方が背面側（後方）である。
【００３７】
図１に示すように、衣類乾燥機１は直方体形状なす本体筐体２にドラム３、扉４、ファン５、空気通路２０及びヒータ２１を備えている。また、衣類乾燥機１はドラム３及びファン５を回転させるためのモータ６（図２参照）を備えている。
【００３８】
ドラム３は例えば熱伝導率が比較的高い金属材料で構成され、本体筐体２の内部に略水平をなす軸線周りに回転自在に支持されている。ドラム３はその内周面に衣類Ｃを撹拌するためのバッフル３ａを複数備えている。なお、上述のように、ドラム３はモータ６によって回転される。
【００３９】
ドラム３の前面には円形の開口３ｂが設けられ、本体筐体２の前面に開口した円形の窓部２ａに連通している。本体筐体２の窓部２ａの箇所には衣類乾燥機１の前方から開閉可能な扉４が設けられている。扉４は衣類乾燥機１の外部からドラム３の内部を見ることができるよう透明部を備えている。ユーザーは扉４を開放することによりドラム３の内部に対して衣類を出し入れすることができる。
【００４０】
ファン５はドラム３の背面側の空気通路２０の内部に配置され、上述のようにモータ６によって回転される。ファン５はドラム３の内部の衣類Ｃを乾燥させるために空気を流通させるとともに、除湿用熱交換器として動作する両翼ファンで構成されている。
【００４１】
空気通路２０はファン５の前面側に設けられた高温流路２２と、ファン５の背面側に設けられた低温流路２３とを備えている。
【００４２】
高温流路２２はドラム３の背面から前面までドラム３の外部下方を通して延びる循環ダクト２４を備えている。循環ダクト２４はドラム３の前面下部に設けられた吹出し口３ｃとドラム３の背面中央部に設けられたフィルタ部３ｄとを介してドラム３の内部と連通している。吹出し口３ｃに対して空気流通方向下流側の循環ダクト２４の内部にヒータ２１が配置されている。循環ダクト２４の下部には空気が除湿（凝縮）されることで生じた水を排出するための排水口２５を備えている。
【００４３】
低温流路２３は本体筐体２の外部と連通する冷却用吸気口２６を本体筐体２の背面に備えている。また、低温流路２３はファン５の箇所から下方に向かって延びる排気ダクト２７を備えている。排気ダクト２７の先端であって本体筐体２の底面には冷却用排気口２８が設けられている。
【００４４】
ここで、衣類乾燥機１はその全体の動作制御のために、図２に示す制御部７を備えている。制御部７はＣＰＵ８やその他の図示しない電子部品で構成されている。ＣＰＵ８は中央演算部であって、記憶部９等に記憶、入力されたプログラム、データに基づきモータ６やヒータ２１などといった構成要素を制御して一連の乾燥運転を実現する。
【００４５】
上記構成の衣類乾燥機１において、乾燥運転が指示されると、モータ６及びヒータ２１が駆動される。これにより、ドラム３及びファン５が回転し、ドラム３の内部で衣類Ｃが撹拌されるとともに、ドラム３の内部及び空気通路２０の内部で空気流が発生する。なお、図１に描画した白抜き矢印が空気の流通経路及び流通方向を示している。
【００４６】
このとき、空気通路２０の低温流路２３では本体筐体２外部、冷却用吸気口２６、ファン５、排気ダクト２７、冷却用排気口２８、本体筐体２外部の順に流れる空気流が発生する。これにより、外気が本体筐体２の内部に取り込まれ、背面側からファン５を常時冷却する。
【００４７】
一方、空気通路２０の高温流路２２ではドラム３内部、フィルタ部３ｄ、ファン５、循環ダクト２４、吹出し口３ｃ、ドラム３内部の順に流れる空気流が発生する。高温流路２２の内部の空気流はヒータ２１の箇所で加熱され、高温となってドラム３の内部の衣類Ｃに向かって吹出し口３ｃから吹き付けられる。吹出し口３ｃから衣類Ｃに吹き付けられた空気は衣類Ｃから水分を吸収し、フィルタ部３ｄを通過してファン５の箇所に至る。
【００４８】
ドラム３の内部で衣類Ｃから水分を吸収してファン５の箇所に至った高温多湿な空気流はファン５に触れることにより冷却される。このとき、空気流が含む水分は結露（凝縮）し、排水口２５から衣類乾燥機１の下方に排水される。高温流路２２の内部の空気流は高温流路２２とドラム３との間で循環を繰り返すことにより、衣類Ｃから水分を吸収して衣類Ｃを乾燥させる。
【００４９】
そして、上記構成の衣類乾燥機１はより効果的な乾燥運転を実行するために電磁波を利用して衣類Ｃの水分量を検出するようにしている。このため、衣類乾燥機１は図１及び図２に示す電磁波発生部１０と電磁波検出部１１とを備えている。
【００５０】
続いて、衣類Ｃの水分量の検出に係る構成とその動作について、図１及び図２に加えて図３を用いて詳しく説明する。図３は衣類乾燥機１の電磁波検出部１１で検出される信号を示すグラフである。
【００５１】
電磁波発生部１０はドラム３とともに回転しないように本体筐体２の窓部２ａのドラム３内側の箇所に設けられている。電磁波発生部１０はドラム３の内部であって後方に向かって、ドラム３の回転軸線と略平行に電磁波Ｅを照射する。電磁波発生部１０は窓部２ａの下部に設けられているので、重力の作用で下方に集中する衣類Ｃに電磁波Ｅが当たって衣類Ｃを通過し易くなる。なお、図１に描画した破線矢印が電磁波Ｅの通過経路及び通過方向を示している。
【００５２】
電磁波発生部１０は例えば量子カスケードレーザーや共鳴トンネルダイオードなどを備え、１００ＧＨｚ以上１２０ＴＨｚ以下の周波数を有する電磁波Ｅを照射する。
【００５３】
１００ＧＨｚ以上１２０ＴＨｚ以下の周波数の電磁波は人体に対して安全で、且つ水の吸収係数が１０2ｃｍ-1以上の電磁波である。吸収係数が１０2ｃｍ-1であるということは、電磁波は水中を０．１ｍｍ（＝１／１０2ｃｍ）進む間にその強度が１０分の１になる。電磁波は衣類Ｃの水分中を０．１ｍｍ進む間にその強度が１０分の１に減少するので、検出中にノイズが発生しても十分に検出可能である。一方、１００ＧＨｚ未満の周波数の電磁波は徐々に水の吸収係数が１０2ｃｍ-1より減少して検出精度が低下する虞がある。また、１２０ＴＨｚから１．６ＰＨｚ（波長２．５μｍから０．１２５μｍ）の周波数の電磁波は吸収係数が１０2ｃｍ-1より小さい。そして、電磁波は１．６ＰＨｚを超えると吸収係数が１０2ｃｍ-1より大きくなるが、人体への影響が大きくなる虞がある。
【００５４】
このようにして、１００ＧＨｚ以上１２０ＴＨｚ以下の周波数を有する電磁波Ｅは水に非常に吸収され易いという性質を備える。したがって、衣類Ｃにわずかでも水分が存在すると、電磁波Ｅの強度は衣類Ｃを通過する前後で大きく変化する。
【００５５】
電磁波検出部１１はドラム３の内部背面側の壁部に設けられ、ドラム３とともに回転しないように例えばドラム３の軸部などに取り付けられている。電磁波検出部１１は電磁波発生部１０が照射してドラム３の内部を通過した電磁波Ｅを検出可能な位置に配置されている。電磁波検出部１１は例えば焦電効果を利用した素子やゴーレイセル、ショットキーバリアダイオードなどを備え、電磁波発生部１０が発した電磁波Ｅを検出する。
【００５６】
上記電磁波発生部１０及び電磁波検出部１１を備える衣類乾燥機１において、乾燥運転が指示されると、図１に示すように電磁波発生部１０からドラム３の軸線方向に沿って電磁波Ｅが照射される。電磁波Ｅはドラム３の内部で衣類Ｃに当たると、衣類Ｃに含まれる水分量に応じて吸収されてその強度が低減する。
【００５７】
なお、この実施形態では電磁波発生部１０及び電磁波検出部１１がドラム３の内部に設けられて電磁波Ｅがドラム３の回転軸線と略平行に照射されるが、電磁波発生部１０及び電磁波検出部１１の配置箇所や電磁波Ｅの照射方向がこれに限定されるわけではない。例えば、電磁波Ｅをドラム３の回転軸線に対して直角をなす方向に照射しても良い。
【００５８】
しかしながら、電磁波発生部１０から照射された電磁波Ｅの照射経路はドラム３の回転軸線に対して略平行であってドラム３の下部にあることがより望ましい。衣類Ｃはドラム３の内部で移動するときに重力の作用により必ず下方に落下するので、この構成によれば、より確実にすべての衣類Ｃに電磁波Ｅを当てることが可能になる。
【００５９】
電磁波検出部１１は衣類Ｃを通過して強度が低減した電磁波Ｅを検出する。そして、ＣＰＵ８が電磁波Ｅを検出した電磁波検出部１１が出力する信号に基づいて衣類Ｃの水分量を演算して乾燥状態を識別する。このとき、電磁波Ｅの吸収率は、例えば電磁波発生部１０が照射する電磁波Ｅの強度と、電磁波検出部１１が検出する電磁波Ｅの強度との差分や比率から演算すれば良い。電磁波発生部１０が照射する電磁波Ｅの強度は、例えば衣類Ｃが存在しない状態で電磁波検出部１１が検出する電磁波Ｅの強度としても良いし、電磁波発生部１０への投入電力から換算しても良い。
【００６０】
ここで、電磁波は一般的に回折限界により、波長程度までしか収束させることができない。「１００ＧＨｚ」の電磁波の波長は３０００μｍであり、「１２０ＴＨｚ」の電磁波の波長は２．５μｍであるので収束可能な領域も同程度となる。これにより、本発明の衣類乾燥機１では直径２．５μｍ〜３０００μｍ程度の水分の塊を区別できる。したがって、衣類乾燥機１は電磁波Ｅの照射方向と垂直をなす面に関して、より小さい領域の水分量を検出することができ、一層正確に衣類Ｃの水分の分布が分かるようになる。
【００６１】
このようにして、衣類乾燥機１は衣類Ｃを通過して強度が変化した電磁波Ｅを検出することで、衣類Ｃに含まれる水分量が分かる。そして、衣類Ｃがドラム３の内部で撹拌されることにより、ほぼすべての衣類Ｃを電磁波Ｅが通過することになる。これにより、衣類Ｃ全体としての乾燥度合いや水分の偏在を識別することができる。
【００６２】
ここで、電磁波Ｅの周波数は２．５ＴＨｚ以下であることが望ましい。一般的に衣類乾燥機１の内部が高温になったときに発生する熱輻射は波長が長くなるにつれて多くなり、特定の波長でピークとなり、ピーク時より波長が長くなると単調に減少する。熱輻射の分布は温度により変化し、例えば室温程度におけるピーク時の波長が約１０μｍであり、８０度におけるピーク時の波長が約８μｍである。熱輻射が多い波長（周波数）の電磁波Ｅを用いて衣類Ｃの水分量を検出しようとすると、電磁波Ｅの検出時に熱輻射がノイズとして現れる虞がある。しかしながら、室温程度の場合、２．５ＴＨｚ以下（波長１２０μｍ以上）では熱輻射量がピーク時の千分の一程度以下になる。温度が上昇するにつれて熱輻射量がピーク時の千分の一程度以下になる周波数は低く（波長は長く）なる。したがって、２．５ＴＨｚ以下（波長１２０μｍ以上）の周波数の電磁波Ｅを用いれば、乾燥時の熱輻射量がピーク時の千分の一程度よりも小さくなり、熱輻射の影響が十分少なくなる。
【００６３】
また、電磁波発生部１０は波長の異なる複数の電磁波Ｅを照射することにしても良い。このとき、水分に対する吸収率が比較的高い波長の電磁波と、水分に対する吸収率が比較的低い波長の電磁波とを含ませることが望ましい。これにより、例えば電磁波Ｅの照射経路上に電磁波Ｅを散乱させるものがあった場合、水分に対する吸収率が比較的高い波長の電磁波の検出信号の変化が水分に対する吸収によるものか、散乱の影響によるものか区別することができる。これにより、電磁波Ｅの検出信号を補正することが可能である。
【００６４】
また、ＣＰＵ８は電磁波Ｅの検出信号の時間的変化やドラム３の回転周期に基づいて衣類Ｃの水分量を演算することも可能である。このため、衣類乾燥機１はドラム３の回転周期を検知する回転周期検知部１２を備えている。回転周期検知部１２は、例えばドラム３とともに回転しない光センサー及び受光部と、ドラム３とともに回転する遮蔽板とで構成されている。回転周期検知部１２は遮蔽板が光センサーと受光部との間の光路を遮蔽するタイミングを測定することでドラム３の回転周期を検知する。
【００６５】
図３において、横軸は時間を示し、縦軸は電磁波Ｅの吸収率を示している。図３によれば、ドラム３の回転とともに衣類Ｃが攪拌されて電磁波Ｅの照射経路上を順次通過していくので、電磁波Ｅの吸収率は増加減少を繰り返していることが分かる。さらに、衣類Ｃの乾燥は時間とともに進行するので、衣類Ｃ全体としての電磁波Ｅの吸収率は徐々に減少していくことが分かる。
【００６６】
乾燥運転の開始時は、衣類Ｃの水分が多いために衣類Ｃの動きが鈍く、例えば図３の左側に示すようにドラム３の１回転（１周期）に対して電磁波Ｅの吸収率のピークが３つ存在する。なお、電磁波Ｅの吸収率の１つのピークは単一の衣類Ｃの吸収率を示している場合もあるし、塊となった複数の衣類Ｃの吸収率を示している場合もある。乾燥が進むと、衣類Ｃの水分が減少して衣類Ｃは個々に動き易くなり、例えば図３の右側に示すようにドラム３の１回転（１周期）に対して電磁波Ｅの吸収率のピークが５つになる。
【００６７】
乾燥運転の終了の判断は電磁波Ｅの吸収率が予め設定した閾値以下になることにより行う。この電磁波Ｅの吸収率の閾値は衣類Ｃの材質に対する電磁波Ｅの吸収率データを用いて設定しても良い。例えば、すべての衣類Ｃの材質が乾燥したときの電磁波Ｅの吸収率を用いても良いし、ユーザーに対して選択を指示した衣類Ｃの材質に対応した値を設定することにしても良い。この電磁波Ｅの吸収率の閾値は、例えば記憶部９に記憶され、適宜利用される。
【００６８】
図３に示すように、すべての衣類Ｃの乾燥が完了していなくても、一時的に電磁波Ｅの吸収率が閾値以下の値になることがある。衣類Ｃの乾燥が不十分であるのに乾燥が完了したと誤判断することを防ぐために、例えば電磁波Ｅの吸収率が閾値以下になる時間が予め設定した十分長い一定の時間以上継続したときに衣類Ｃの乾燥が完了したと判断させる。乾燥運転の終了の判断に用いる一定の時間は、例えばドラム３の回転周期を用いても良い。ドラム３の回転周期の間にある衣類Ｃが少なくとも一度電磁波Ｅの照射経路上を通過する可能性が高いので、誤判断を防ぐことが可能となる。
【００６９】
乾燥運転の終了の別の判断としては、例えばドラム３の回転周期ごとに発生する電磁波Ｅの吸収率のピークを計数する方法を用いても良い。前述のように、乾燥運転の開始時、ドラム３の１回転に対する電磁波Ｅの吸収率のピークは比較的少なく、例えば図３では３つであり、乾燥が進むに従って４つ、５つと徐々に増加する。そして、ドラム３の１回転に対する電磁波Ｅの吸収率のピークが予め設定した所定数に達したときに衣類Ｃの乾燥が完了したと判断させる。
【００７０】
制御部７は、例えば衣類Ｃの乾燥具合に応じて乾燥運転を停止しても良いし、乾燥具合についてユーザーに知らせるようにしても良いし、乾燥具合に応じてドラム３の回転周波数やヒータ２１の温度等の乾燥条件を変更しても良い。
【００７１】
また、さらに効果的な乾燥運転を行うために、衣類乾燥機１はドラム３の内部の衣類Ｃの位置を検知する衣類位置検知部１３を備えている（図２参照）。衣類位置検知部１３は、例えばドラム３の内部を撮像可能なカメラで構成され、取得したドラム３の内部の映像から衣類Ｃの位置を検知することができる。ＣＰＵ８は電磁波Ｅを検出した電磁波検出部１１が出力する信号に基づく衣類Ｃの水分量の演算に、衣類位置検知部１３が検知した衣類Ｃの位置を用いる。
【００７２】
また、さらに効果的な乾燥運転を行うために、衣類乾燥機１はドラム３から排出された水蒸気量を測定する水蒸気測定部１４を備えている（図２参照）。水蒸気測定部１４は、例えば高分子感湿材料を用いた静電容量式や電気抵抗式の湿度センサーで構成され、ドラム３から排出された水蒸気量を測定するために例えばドラム３のフィルタ部３ｄの後方等に配置されている。
【００７３】
電磁波Ｅはドラム３の内部の水蒸気でも吸収されるので、ドラム３の内部の水蒸気量の変動が電磁波検出部１１による電磁波Ｅの検出に影響を与えて衣類Ｃの水分量の正確な検出の妨げとなる。このため、衣類乾燥機１は水蒸気測定部１４によってドラム３の内部の空気の水蒸気量を測定する。
【００７４】
ＣＰＵ８は電磁波Ｅを検出した電磁波検出部１１が出力する信号に基づく衣類Ｃの水分量の演算に、水蒸気測定部１４が測定した水蒸気量を用いる。具体的には、ＣＰＵ８は電磁波発生部１０と電磁波検出部１１との間の距離と、水蒸気測定部１４から得られたドラム３の内部の水蒸気量とを用いてドラム３の内部の水蒸気による電磁波Ｅの減衰量を算出する。ＣＰＵ８は電磁波検出部１１で検出される衣類Ｃの水分による電磁波Ｅの吸収量と、ドラム３の内部の水蒸気による電磁波Ｅの減衰量との差分をとることで、ドラム３の内部の水蒸気の影響を受けて変動する電磁波検出部１１で検出される電磁波Ｅを補正する。
【００７５】
上記のように、衣類乾燥機１はドラム３の内部に向かって１００ＧＨｚ以上１２０ＴＨｚ以下の周波数の電磁波Ｅを照射する電磁波発生部１０と、電磁波発生部１０が照射してドラム３の内部を通過した電磁波Ｅを検出する電磁波検出部１１と、電磁波を検出した電磁波検出部１１が出力する信号に基づいて衣類Ｃの水分量を演算して乾燥状態を識別するＣＰＵ８と、を備えている。上記周波数帯域の電磁波Ｅは水分子に非常に吸収され易いという性質を有しているので、衣類乾燥機１は衣類Ｃを通過して強度が変化した電磁波Ｅを検出することで、衣類Ｃに含まれる水分量を知ることができる。また、衣類乾燥機１は電磁波Ｅの照射方向と垂直をなす面に関してより小さい領域の水分量を検出することができ、正確に衣類Ｃの水分の分布を識別できる。したがって、手間が掛からない簡便な構成で衣類Ｃ全体としての乾燥度合いや水分の偏在を識別することが可能である。
【００７６】
そして、衣類乾燥機１の電磁波発生部１０が照射する電磁波Ｅの周波数は２．５ＴＨｚ以下であることが望ましい。これにより、衣類乾燥機１の内部が高温になったときに発生する熱輻射の影響を少なくすることが可能である。
【００７７】
また、衣類乾燥機１がドラム３の回転周期を検知する回転周期検知部１２を備え、ＣＰＵ８は電磁波検出部１１が出力する信号に基づく衣類Ｃの水分量の演算に回転周期検知部１２が検知したドラム３の回転周期を用いる。これにより、衣類Ｃを通過した電磁波Ｅの検出信号に対してドラム３の回転に係る情報が加味される。したがって、衣類乾燥機１は衣類Ｃの水分量を一層正確に知ることができる。
【００７８】
また、衣類乾燥機１がドラム３の内部の衣類Ｃの位置を検知する衣類位置検知部１３を備え、ＣＰＵ８は電磁波検出部１１が出力する信号に基づく衣類Ｃの水分量の演算に衣類位置検知部１３が検知した衣類Ｃの位置を用いる。これにより、例えば水分量が比較的多い衣類Ｃが特定され、追跡される。すなわち、衣類乾燥機１では乾燥に多くの時間を要する衣類Ｃを見逃すことが妨げられ、より効果的な乾燥運転を実行することができる。
【００７９】
また、衣類乾燥機１がドラム３から排出された水蒸気量を測定する水蒸気測定部１４を備え、ＣＰＵ８は電磁波検出部１１が出力する信号に基づく衣類Ｃの水分量の演算に水蒸気測定部１４が測定したドラム３の内部の水蒸気量を用いる。これにより、衣類Ｃを通過した電磁波Ｅの検出信号に対してドラム３の内部の水蒸気量を用いた補正が加味される。したがって、衣類乾燥機１は衣類Ｃの水分量を一層正確に知ることができる。
【００８０】
そして、本発明の上記実施形態の構成によれば、衣類Ｃを通過した電磁波Ｅの強度を検出することで、衣類Ｃに含まれる水分量が分かる。したがって、本発明の衣類乾燥機１は手間が掛からない簡便な構成で衣類Ｃ全体としての乾燥度合いや水分の偏在を識別することができる。このようにして、好適に衣類Ｃの乾燥状態を把握することが可能な衣類乾燥機１を提供することができる。
【００８１】
次に、本発明の第２の実施形態に係る衣類乾燥機について、図４を用いて説明する。図４は衣類乾燥機の概略垂直断面図である。なお、この実施形態の基本的な構成は図１〜図３を用いて説明した前記第１の実施形態と同じであるので、第１の実施形態と共通する構成要素には前と同じ符号を付し、図面の記載及びその説明を省略するものとする。また、図４では衣類Ｃの描画を省略している。
【００８２】
第２の実施形態に係る衣類乾燥機１は、図４に示すように扉４と対向するドラム３の背面側の壁面に電磁波透過部１５を備えている。電磁波透過部１５は電磁波Ｅが透過する材料で構成され、ドラム３の回転軸線に対して略同心円をなす環状に形成されている。
【００８３】
電磁波発生部１０は窓部２ａの下部に設けられ、ドラム３の後方に向かって回転軸線と略平行に電磁波を照射する。電磁波透過部１５は電磁波Ｅの照射経路上に配置されている。電磁波検出部１１はドラム３の背面側の外部であって、例えば空気通路２０の外壁等に設けられている。電磁波発生部１０及び電磁波検出部１１はドラム３とともに回転しない。電磁波発生部１０が照射する電磁波Ｅは電磁波透過部１５を透過して電磁波検出部１１に届く。
【００８４】
このようにして第２の実施形態の構成によれば、電磁波発生部１０及び電磁波検出部１１の両方がドラム３の外部に配置されるので、衣類Ｃがそれらに衝突することが抑制される。したがって、衣類乾燥機１はドラム３の内部における衣類Ｃの動きを妨げることなく、自然な状態で撹拌される衣類Ｃを通過する電磁波Ｅを検出することが可能である。その結果、衣類乾燥機１は衣類Ｃの水分量をより一層正確に知ることができる。
【００８５】
なお、電磁波発生部１０及び電磁波検出部１１のいずれか一方がドラム３の外部に配置された構成であっても良い。このとき、例えば前面側におけるドラム３の外部であって本体筐体２との間の箇所に電磁波発生部１０を配置し、ドラム３の前面側の壁面に電磁波透過部１５を設けることにしても良い。
【００８６】
また、電磁波透過部１５を扉４の外部に設けて、扉４に電磁波透過部１５を設けることにしても良いし、扉４自体が電磁波Ｅを透過する材料で形成された電磁波透過部１５であっても良い。
【００８７】
また、電磁波透過部１５は上記のように電磁波を透過する材料で構成されていても良いし、単なる貫通孔で構成されていても良い。さらに、電磁波透過部１５の形状はドラム３の回転軸線に対して略同心円をなす環状に限定されるわけではなく、他の形状であっても構わない。
【００８８】
次に、本発明の第３の実施形態に係る衣類乾燥機について、図５を用いて説明する。図５は衣類乾燥機の概略垂直断面図である。なお、この実施形態の基本的な構成は図１〜図３を用いて説明した前記第１の実施形態と同じであるので、第１の実施形態と共通する構成要素には前と同じ符号を付し、図面の記載及びその説明を省略するものとする。また、図５では衣類Ｃの描画を省略している。
【００８９】
第３の実施形態に係る衣類乾燥機１は、図５に示すようにドラム３の内面に２箇所の反射部１６Ａ、１６Ｂを備えている。反射部１６Ａ、１６Ｂはともに電磁波Ｅの反射率が高い金属等で構成されている。反射部１６Ａはドラム３の内部背面側の壁部に配置され、反射部１６Ｂはドラム３の内周面に配置されている。
【００９０】
電磁波発生部１０は窓部２ａの下部に設けられ、ドラム３の後方に向かって回転軸線と略平行に電磁波Ｅを照射する。電磁波検出部１１は窓部２ａの略中央部に設けられ、ドラム３の内部側から届く電磁波Ｅを検出する。電磁波発生部１０が照射する電磁波Ｅは、まずドラム３の内部背面側の壁部に配置した反射部１６Ａで反射し、続いてドラム３の内周面に配置した反射部１６Ｂで反射して電磁波検出部１１に届く。
【００９１】
このようにして第３の実施形態の構成によれば、電磁波発生部１０と電磁波検出部１１とを対向させて配置する必要がない。したがって、衣類乾燥機１には電磁波発生部１０と電磁波検出部１１との様々な配置構成を適用することができる。すなわち、一対の電磁波発生部１０及び電磁波検出部１１を用いて様々な方向から衣類Ｃに対して電磁波Ｅを当てることができる。その結果、衣類Ｃ全体としての乾燥度合いや水分の偏在を識別する精度を一層向上させることが可能である。
【００９２】
なお、反射部１６は２箇所に限定されるわけではなく、１箇所或いは３箇所以上であっても良い。さらに、反射部１６の配置箇所も上記実施形態に限定されるわけではなく、他の箇所に配置しても良い。
【００９３】
そして、ドラム３が例えばステンレスなどの電磁波Ｅを反射する材料からなり、反射部１６を一体として有することにしても良い。電磁波Ｅはドラム３の内面で反射する。この構成によれば、ドラム３の耐久性が向上する。
【００９４】
次に、本発明の第４の実施形態に係る衣類乾燥機について、図６を用いて説明する。図６は衣類乾燥機の概略垂直断面図である。なお、この実施形態の基本的な構成は図１〜図３を用いて説明した前記第１の実施形態と同じであるので、第１の実施形態と共通する構成要素には前と同じ符号を付し、図面の記載及びその説明を省略するものとする。また、図６では衣類Ｃの描画を省略している。
【００９５】
第４の実施形態に係る衣類乾燥機１は、図６に示すように電磁波発生検出部１７を備えている。電磁波発生検出部１７は電磁波発生部と電磁波検出部とが一体として構成されている。電磁波発生検出部１７は窓部２ａの下部に設けられている。
【００９６】
電磁波発生検出部１７はドラム３の後方に向かって回転軸線と略平行に電磁波Ｅを照射する。さらに、電磁波発生検出部１７はドラム３の内部側から届く電磁波Ｅを検出する。電磁波Ｅの反射率が高い金属等で構成された反射部１６がドラム３の内部背面側の壁部であって、電磁波発生検出部１７と対向する箇所に配置されている。すなわち、電磁波発生検出部１７が照射する電磁波Ｅはドラム３の内部背面側の壁部に配置した反射部１６で反射して電磁波発生検出部１７に届く。
【００９７】
このようにして第４の実施形態の構成によれば、電磁波発生検出部１７が電磁波発生部と電磁波検出部とを一体として構成されているので、電磁波発生部及び電磁波検出部の配置領域が省スペース化される。したがって、衣類乾燥機１の大型化を防止することが可能である。
【００９８】
次に、本発明の第５の実施形態に係る衣類乾燥機について、図７及び図８を用いて説明する。図７は衣類乾燥機の概略垂直断面図、図８は衣類乾燥機のドラム内部を示す概略正面図である。なお、この実施形態の基本的な構成は図１〜図３を用いて説明した前記第１の実施形態と同じであるので、第１の実施形態と共通する構成要素には前と同じ符号を付し、図面の記載及びその説明を省略するものとする。また、図７及び図８では衣類Ｃの描画を省略している。
【００９９】
第５の実施形態に係る衣類乾燥機１は、図７及び図８に示すように対をなす電磁波発生部１０及び電磁波検出部１１を２箇所に備えている。一対の電磁波発生部１０Ａ及び電磁波検出部１１Ａと、一対の電磁波発生部１０Ｂ及び電磁波検出部１１Ｂとが上下方向に並べて配置されている。これにより、複数の電磁波Ｅがドラム３の内部に対して照射される。
【０１００】
このようにして第５の実施形態の構成によれば、衣類乾燥機１は複数の箇所における衣類Ｃの水分量が分かる。したがって、衣類Ｃの水分量の正確さを高めることが可能である。
【０１０１】
なお、対をなす電磁波発生部１０及び電磁波検出部１１は２箇所に限定されるわけではなく、３箇所以上に配置しても構わない。さらに、電磁波発生部１０及び電磁波検出部１１の配置箇所も上記実施形態に限定されるわけではなく、他の箇所に配置しても良い。
【０１０２】
また、対をなす電磁波発生部１０及び電磁波検出部１１各々による電磁波Ｅの照射方向は上記実施形態のように同じ方向であることに限定されるわけではなく、異なる方向から照射しても構わない。例えば、一対の電磁波発生部１０Ｂ及び電磁波検出部１１Ｂによる電磁波Ｅの照射方向を図８における横方向に設定しても良い。これにより、一対の電磁波発生部１０Ａ及び電磁波検出部１１Ａによる電磁波Ｅの照射方向と、一対の電磁波発生部１０Ｂ及び電磁波検出部１１Ｂによる電磁波Ｅの照射方向とが上方から見て交差するようになる。これらの電磁波Ｅの照射経路の高さを変えることにより、衣類Ｃの水分量の分布を３次元的に識別することが可能になる。
【０１０３】
また、電磁波発生部１０及び電磁波検出部１１は必ずしも対をなすように構成されていなくても良い。単数の電磁波発生部１０に対して複数の電磁波検出部１１を設けても良いし、複数の電磁波発生部１０に対して単数の電磁波検出部１１を設けても良い。これらの場合、例えば前述の反射部１６などを用いて電磁波Ｅを振り分けたり、集めたりすることにより、複数の箇所における衣類Ｃの水分量が得られる。
【０１０４】
次に、本発明の第６の実施形態に係る衣類乾燥機について、図９〜図１１を用いて説明する。図９は衣類乾燥機の概略垂直断面図、図１０は衣類乾燥機のドラム内部を示す概略正面図、図１１は衣類乾燥機の構成を示すブロック図である。なお、この実施形態の基本的な構成は図１〜図３を用いて説明した前記第１の実施形態と同じであるので、第１の実施形態と共通する構成要素には前と同じ符号を付し、図面の記載及びその説明を省略するものとする。また、図９及び図１０では衣類Ｃの描画を省略している。
【０１０５】
第６の実施形態に係る衣類乾燥機１は、図１１に示すように電磁波発生部１０及び電磁波検出部１１がともに走査部１０ｓ、１１ｓを備えている。そして、制御部７は電磁波発生部１０の走査部１０ｓと電磁波検出部１１の走査部１１ｓとを同時に駆動することにより、図９及び図１０に示すように電磁波Ｅを走査することができる。なお、図９及び図１０に描画した実線矢印が電磁波Ｅの走査方向を示している。例えば、電磁波Ｅはその照射方向と直角をなす面、すなわちドラム３の回転軸線と直角をなす面において矩形をなす形状に走査される（図１０参照）。
【０１０６】
このようにして第６の実施形態の構成によれば、走査範囲における衣類Ｃの水分量の分布が識別される。例えば走査する時間がドラム３の回転周期と比較して十分に短い場合、ある時間における２次元的な衣類Ｃの水分量の分布を識別することができる。そして、衣類乾燥機１は衣類Ｃの水分量の分布に係る情報を用いた好適な乾燥運転を実行することが可能である。
【０１０７】
なお、さらに効果的な乾燥運転を行うために、図１１に示す衣類位置検知部１３が検知した衣類Ｃの位置に基づいて電磁波Ｅを走査することにしても良い。ＣＰＵ８は電磁波検出部１１が出力する信号に基づく衣類Ｃの水分量の演算に、衣類位置検知部１３が検知した衣類Ｃの位置を用いる。そして、制御部７が衣類Ｃの位置に応じて電磁波Ｅを走査すべく走査部１０ｓ、１１ｓの駆動を制御する。
【０１０８】
この構成によれば、例えば水分量が比較的多い衣類Ｃを特定し、この衣類Ｃに対して電磁波Ｅを照射し続けながらこの衣類Ｃを追跡することができる。したがって、衣類乾燥機１は乾燥に多くの時間を要する衣類Ｃを見逃すことを防止でき、より一層効果的な乾燥運転を実行することが可能である。
【０１０９】
また、電磁波発生部１０及び電磁波検出部１１がともに走査部を擁する必要はなく、いずれか一方が走査部を擁する構成であっても良い。この場合、例えば電磁波Ｅを反射させるなどして照射方向を変更させ、電磁波発生部１０から電磁波検出部１１まで導くことができる。
【０１１０】
また、電磁波Ｅの照射方向はドラム３の回転軸線と略平行であることに限定されるわけではなく、図１０における横方向、すなわちドラム３の回転軸線と直角をなす方向に電磁波Ｅを照射しても良い。そして、ドラム３の回転軸線に対して略平行な方向と、直角をなす方向との両方において電磁波Ｅを走査することにしても良い。この構成によれば、広範囲にわたる３次元的な空間において衣類Ｃの水分量の分布を識別することができる。
【０１１１】
次に、本発明の第７の実施形態に係る衣類乾燥機について、図１２を用いて説明する。図１２は衣類乾燥機の概略垂直断面図である。なお、この実施形態の基本的な構成は図１〜図３を用いて説明した前記第１の実施形態と同じであるので、第１の実施形態と共通する構成要素には前と同じ符号を付し、図面の記載及びその説明を省略するものとする。また、図１２では衣類Ｃの描画を省略している。
【０１１２】
第７の実施形態に係る衣類乾燥機１は、図１２に示すようにドラム３の向きが上下方向になっている。すなわち、ドラム３の回転軸線は床面に対して略垂直をなし、その上面に円形の開口３ｂが設けられている。そして、ドラム３の開口３ｂは本体筐体２の上面に開口した円形の窓部２ａに連通している。本体筐体２の窓部２ａの箇所であって衣類乾燥機１の上面には上方からドラム３の内部に対して衣類Ｃの出し入れを可能にする扉４が設けられている。
【０１１３】
電磁波発生部１０及び電磁波検出部１１はドラム３の下部内周面に設けられ、互いがドラム３の回転軸線を挟んで対向するように配置されている。電磁波発生部１０は電磁波検出部１１に向かって、ドラム３の回転軸線と直角をなす方向、すなわち略水平に電磁波Ｅを照射する。ドラム３の内部の衣類Ｃは重力の作用により下方に集まるので、衣類Ｃに確実に電磁波Ｅを当てることができる。
【０１１４】
このようにして第７の実施形態の構成によれば、回転軸線が床面に対して略垂直をなすドラム３を備えた衣類乾燥機１であっても、手間が掛からない簡便な構成で衣類Ｃ全体としての乾燥度合いや水分の偏在を識別することが可能である。
【０１１５】
なお、電磁波発生部１０及び電磁波検出部１１の配置箇所はドラム３の内周面に限定されるわけではなく、扉４の箇所とドラム３の底部とに配置することにしても良い。このとき、電磁波Ｅは、例えばドラム３の回転軸線と略平行に上下方向に照射される。この場合、衣類Ｃがドラム３の内周面近くに存在する機会が多くなるので、電磁波発生部１０及び電磁波検出部１１の配置箇所はドラム３の内周面近傍であることが望ましい。これにより、衣類Ｃ全体としての乾燥度合いや水分の偏在を識別することが可能である。
【０１１６】
以上、本発明の実施形態につき説明したが、本発明の範囲はこれに限定されるものではなく、発明の主旨を逸脱しない範囲で種々の変更を加えて実施することができる。
【０１１７】
例えば、上記実施形態ではドラム３の向きを横方向（第１〜第６の実施形態）または縦方向（第７の実施形態）としたが、ドラム３の向きはこれらに限定されるわけではなく、例えば斜め方向であっても構わない。
【０１１８】
また、本発明の構成は衣類乾燥機の機能を有する洗濯機にも適用可能である。
【産業上の利用可能性】
【０１１９】
本発明は、衣類を収容したドラムを回転させて衣類を乾燥させる衣類乾燥機に利用することができる。
【符号の説明】
【０１２０】
１    衣類乾燥機
２    本体筐体
２ａ    窓部
３    ドラム
３ｂ    開口
３ｃ    吹出し口
３ｄ    フィルタ部
４    扉
５    ファン
６    モータ
７    制御部
８    ＣＰＵ（演算部）
９    記憶部
１０    電磁波発生部
１０ｓ    走査部
１１    電磁波検出部
１１ｓ    走査部
１２    回転周期検知部
１３    衣類位置検知部
１４    水蒸気測定部
１５    電磁波透過部
１６    反射部
１７    電磁波発生検出部（電磁波発生部、電磁波検出部）
２０    空気通路
２１    ヒータ
２２    高温流路
２３    低温流路
２４    循環ダクト
２５    排水口
Ｅ      電磁波
Ｃ      衣類
【図１】
0005285139.tif 000002
【図２】
0005285139.tif 000003
【図３】
0005285139.tif 000004
【図４】
0005285139.tif 000005
【図５】
0005285139.tif 000006
【図６】
0005285139.tif 000007
【図７】
0005285139.tif 000008
【図８】
0005285139.tif 000009
【図９】
0005285139.tif 000010
【図１０】
0005285139.tif 000011
【図１１】
0005285139.tif 000012
【図１２】
0005285139.tif 000013